(57)【特許請求の範囲】
【請求項１】
少なくとも２つの装置間で通信する方法であって、
・第１の装置と少なくとも１つの第２の装置とを接続するステップであって、前記第１の装置が第１のネットワークに接続されていると共に、前記少なくとも１つの第２の装置が第２のネットワークに接続されており、前記第１の装置、または前記第１のネットワーク、または前記第２のネットワークが、Ｎ個のチャンネルを含むマルチメディアストリームの生成または転送に適しており、前記少なくとも１つの第２の装置が、Ｐ個のチャンネルを含むマルチメディアストリームを処理するための手段を備えていると共に、前記Ｎが前記Ｐより小さい、ステップと、
・第１のマルチメディアストリームを前記第１の装置から前記第２の装置に対して転送するステップとを含み、
前記方法が、
・前記接続するステップの間に受信された情報に基づいて、（Ｐ−Ｎ）個までの補完的なマルチメディアデータを含む第２のマルチメディアストリームの前記第２の装置に対するルーティングが可能であるか否かを判定することから成る、判定するステップと、
・もし前記判定するステップが肯定であれば、前記第２の装置に対して前記第２のマルチメディアストリームをルーティングするステップであって、前記ルーティングするステップが前記第１のマルチメディアストリームを転送するステップと並列に実行されると共に、前記第２のマルチメディアストリームがマルチメディアデータの送信のためにマルチメディア資源のサーバによって提供される、ステップとを更に含む
ことを特徴とする方法。
【請求項２】
前記第１のマルチメディアストリームまたは前記第２のマルチメディアストリームが、音響信号、及び／またはテキスト、及び／またはビデオ信号、及び／または画像信号に関連するデータを含む
ことを特徴とする請求項１に記載の方法。
【請求項３】
前記第１のマルチメディアストリームがＮ個のチャンネルを含むと共に、前記第２のマルチメディアストリームが（Ｐ−Ｎ）個のチャンネルを含む
ことを特徴とする請求項１または請求項２のいずれか一項に記載の方法。
【請求項４】
前記第２のマルチメディアストリームのコンテンツが、
−前記第１の装置の利用者によって決定されたパラメータ、及び／または、
−前記第２の装置の利用者によって決定されたパラメータ、及び／または、
−方法の実施のために使用される判定する手段またはルーティングする手段の所有者によって決定されたパラメータ、
によって決まることを特徴とする請求項１から請求項３のいずれか一項に記載の方法。
【請求項５】
前記判定するステップが、前記接続するステップと並列に実行される
ことを特徴とする請求項１から請求項４のいずれか一項に記載の方法。
【請求項６】
前記判定するステップが、
・前記第１の装置の利用者の要求に応じて、または、
・前記第２の装置の利用者の要求に応じて、
実行されることを特徴とする請求項１から請求項５のいずれか一項に記載の方法。
【請求項７】
前記判定するステップが、
・前記第１のネットワークまたは前記第２のネットワークのアプリケーションサーバの判定する手段か、あるいは、
・前記第２のネットワークにアクセスするための前記第２の装置のアクセス装置の判定する手段か、あるいは、
・前記第２のネットワークの入力構成要素の判定する手段か、あるいは、
・前記第２の装置の判定する手段、
のいずれかによって実行されることを特徴とする請求項１から請求項６のいずれか一項に記載の方法。
【請求項８】
通信システムであって、
・第１の装置と少なくとも１つの第２の装置とを接続するためのシステムであって、前記第１の装置が第１のネットワークに接続されていると共に、前記少なくとも１つの第２の装置が第２のネットワークに接続されており、前記第１の装置、または前記第１のネットワーク、または前記第２のネットワークが、Ｎ個のチャンネルを含むマルチメディアストリームの生成または転送に適しており、前記少なくとも１つの第２の装置が、Ｐ個のチャンネルを含むマルチメディアストリームを処理するための手段を備えていると共に、前記Ｎが前記Ｐより小さい、システムと、
・第１のマルチメディアストリームを前記第１の装置と前記第２の装置との間で転送するためのシステムと、
・前記接続することの間に受信された情報に基づいて、（Ｐ−Ｎ）個までの補完的なマルチメディアデータを含む第２のマルチメディアストリームの前記第２の装置に対するルーティングが可能であるか否かを判定することから成る、判定するための手段と、
・もし前記判定することが肯定であれば、前記第２の装置に対して前記第２のマルチメディアストリームをルーティングする手段であって、前記ルーティングすることが前記第１のマルチメディアストリームを転送することと並列に実行されると共に、前記第２のマルチメディアストリームがマルチメディアデータの送信のためにマルチメディア資源のサーバによって提供される、手段と、
を備えることを特徴とするシステム。
【請求項９】
前記接続するためのシステム及び前記転送するためのシステムが、
前記第１の装置が接続されている第１のネットワークの要素か、及び／または、
前記第２の装置が接続されている第２のネットワークの要素か、及び／または、
前記第１のネットワーク及び前記第２のネットワークを相互接続するための要素、
を備えることを特徴とする請求項８に記載のシステム。
【請求項１０】
前記判定するための手段が、
・前記第１のネットワークまたは前記第２のネットワークのアプリケーションサーバの手段か、あるいは
・前記第２のネットワークにアクセスするための前記第２の装置のアクセス装置の手段か、あるいは
・前記第２の装置の手段、
のいずれかであることを特徴とする請求項８または請求項９のいずれか一項に記載のシステム。
【発明の詳細な説明】
【技術分野】
【０００１】
本発明は、電気通信の分野に関連すると共に、更に詳しくは、端末、及びメッセージング、オーディオテル（audiotel）、ポータルタイプ（portal type）等の音声サーバを含む、同一の通信ネットワークに、あるいは異なる通信ネットワークに接続される、少なくとも２つの装置の間で通信する方法に関連する。
【背景技術】
【０００２】
本発明は、特にあらゆる通信に関して、しかし独占的にではなく、以下の、
・装置の内の少なくとも１つは、少なくとも他の１つの装置のマルチメディアストリーム処理能力より劣るマルチメディアストリーム送出能力を有しているか、または、
・装置の内の１つが接続されるネットワークは、他の装置のマルチメディアストリーム処理能力より劣るマルチメディアストリーム転送能力を有している、
という状況で、２つの装置の間の２地点間（point-to-point）モードにおいて、または３つ以上の装置の間の会議モードにおいて、電話通信、テレビ電話、テキストまたはデータの交換の分野におけるアプリケーションを見い出す。
【０００３】
更に一般的に、本発明は、通信に従事している他の遠隔装置が同じ能力を有していない場合、またはそれに対して装置の内の１つが接続されているネットワークが適切なマルチメディア転送能力を有していない場合に、マルチメディア装置のマルチメディアストリーム処理能力を充足させることを意図する。
【０００４】
ここで、及び以下の至る所において、用語“マルチメディアストリーム”は、聞こえる（audible）情報、視覚の（visual）情報（テキスト、画像、ビデオ等）、触知できる（tactile）情報、嗅覚の（olfactory）情報、味覚の（gustatory）情報等、この情報の性質がどのようなものであっても、あらゆるタイプの情報担体に関するデジタルデータのストリームを意味することが理解される。マルチメディアストリームは、いくつかのチャンネルを含むことができ、それぞれは情報担体（音、画像、ビデオ等）に関するデータを有すると共に、いくつかのチャンネルは、場合により同一の情報担体と関連付けられる。
【０００５】
ここで、用語“マルチメディア処理能力”（または“マルチメディア処理属性”）は、１つ以上のチャンネルを含むマルチメディアストリームを利用する（表示する、修正する、応答する等）装置の能力を意味することが理解される。ここで、用語“マルチメディア送出能力”（または“マルチメディア送出属性”）は、１つ以上のチャンネルを含むマルチメディアストリームを生成して適切なネットワークに伝送する装置の能力を意味することが理解される。ここで、用語“マルチメディア転送能力”（または“マルチメディア転送属性”）は、１つ以上のチャンネルを含むマルチメディアストリームを転送する装置の能力、またはネットワークの能力を意味することが理解される。最終的に、もし第１の装置または第１のネットワークが、第２の装置または第２のネットワークによって送出されるか、転送されるか、及び／または利用される傾向があるマルチメディアストリームのチャンネルの数より更に少ない数のチャンネルを含むマルチメディアストリームを送出するか、転送するか、及び／または利用することができるならば、第１の装置または第１のネットワークは、第２の装置または第２のネットワークの能力より劣るマルチメディア能力を有している。
【０００６】
電話サービスは、更に、（固定または移動）回路交換ネットワークに非常に依存していると共に、かなりの数の電話装置（端末、音声サーバ等）は、モノラルのオーディオ能力に制限された能力、すなわちモノラルのオーディオ信号に関するデータを有する単一のチャンネルを含むマルチメディアストリームの生成、受信、及び利用に制限された能力を有する。
【０００７】
市場に現れる通信装置は、（大ざっぱに言うと、これらはマルチメディア装置と言われており、）更に多くのマルチメディア能力、すなわち同一の時間にオーディオデータ、ビデオデータ、テキストデータ等を含むストリームを、受信し、利用し、生成する能力を有している。例えば、インターネット電話（ＩＰ電話）ソフトウェアを供給されたＰＣタイプの端末、または、ＩＰ電話能力及びステレオのオーディオ能力を含むマルチモード電話端末（例えばＧＭＳ＋ＷＩＦＩ）が、そのようなものである。
【発明の概要】
【発明が解決しようとする課題】
【０００８】
それにもかかわらず、装置間の通信の間、通信の属性は、通信に従事している装置の属性に制限されており、そして最小のマルチメディア能力を有している。例えば、交換ネットワークに接続された電話端末と、インターネット電話ネットワークまたは交換ネットワークに接続されたマルチメディア端末との間の通信の間、それらが最小のマルチメディア能力を有するリンク、すなわち交換ネットワークによって制限されるので、通信の属性は、必ずモノラルになるであろう。
【０００９】
本発明は、これらの欠点を示さない技術的解決法を提供する。
【課題を解決するための手段】
【００１０】
この目的のために、本発明は、少なくとも２つの装置間で通信する方法であって、特に以下の、
・第１の装置と少なくとも１つの第２の装置とを接続するステップと、
・第１のマルチメディアストリームを前記第１の装置から前記第２の装置に対して転送するステップとを含み、更に以下の、
・その過程において、前記第１の装置、または前記第１の装置が接続されている第１の通信ネットワーク、または前記第２の装置が接続されている第２のネットワークが、Ｎ個のチャンネルを含むマルチメディアストリームの生成または転送に適しており、第２の装置が、Ｐ個のチャンネルを含むマルチメディアストリームを処理するための手段を備えることが指摘される判定するステップと、
・前記第１のマルチメディアストリームを転送するステップと並列に実行されると共に、前記第２の装置に対して第２のマルチメディアストリームをルーティングするステップと、
を含むことを特徴とする方法を提供する。
【００１１】
本発明は、従って、Ｐ個のチャンネルを含むオーディオストリームを処理するための手段が提供された装置の利用者が、彼の反対側の通信相手が異なるマルチメディア属性あるいは実に劣るマルチメディア属性を与えられている装置またはネットワークを有する場合に、彼の装置の属性から利益を得ることを可能にする。上述のように、マルチメディアストリームは、音響信号、テキスト、ビデオ、画像等に同時に関連するデータを含むことができる。
【００１２】
本発明の実施の特別なモードにおいて、前記Ｎが前記Ｐより小さい場合に限り、すなわち、前記第１の装置及び／または前記第１のネットワーク及び／または前記第２のネットワークが、前記第２の装置のマルチメディア処理能力より劣るマルチメディア送出能力またはマルチメディア伝送能力を有する場合に、前記ルーティングするステップが実行される。前記ルーティングするステップの実行は、従って、その効果、前記第２の装置によって受信されるマルチメディアストリームのチャンネル数の増加が、前記第２の装置に対して利益を全く提示しないときに回避される。
【００１３】
前記第１のマルチメディアストリームは、Ｎ個のチャンネルを含み得ると共に、前記第２のマルチメディアストリームは、（Ｐ−Ｎ）個のチャンネルを含み得ることになる。前記第１の装置の送出及び伝送能力、前記第１のネットワークの送出及び伝送能力、あるいは前記第２のネットワークの送出及び伝送能力、及び前記第２の装置の処理能力は、従って最大限に利用される。
【００１４】
前記判定するステップは、前記第１の装置の利用者の要求によって実行され得る。これは、例えば前記第１の装置の利用者が、例えば広告のようなビデオを含む第２のマルチメディアストリームが彼の反対側の通信相手に対して、またはそれらの内のいくらかに対して発送されることを要求するために、前記第１の装置の制限された能力を知ることを可能にする。
【００１５】
前記判定するステップは、同様に、前記第２の装置の利用者の要求によって実行され得る。これは、例えば前記第２の装置の利用者が、彼が受け取る第１のストリームが、前記第２の装置の能力より低い、いくらかのチャンネルを有するときに、（例えば１つの音楽に対応する）第２のマルチメディアストリームのルーティングを要求することを可能にする。
【００１６】
前記判定するステップは、有利に、前記接続するステップの間に実行され得ることになる。前記接続するステップの過程において装置の間で通常交換された情報は、従って前記判定するステップの過程で同時に使用され得ることになる。
【００１７】
更に一般的に、前記判定するステップは、随意に、前記マルチメディアストリームを転送するステップの後で、通信中いつでも実行され得る。これは、例えば、前記第２の装置の受信する第１のマルチメディアストリームが、前記第２の装置のマルチメディア処理能力より低い、いくらかのチャンネルを有していることに、前記第２の装置の利用者が気づくことを可能にする。
【００１８】
本発明は、同様に、方法の実施に適していると共に、以下の、
・第１の装置と少なくとも１つの第２の装置とを接続するためのシステムと、
・第１のマルチメディアストリームを前記第１の装置と前記第２の装置との間で転送するためのシステムと、
・マルチメディアストリームを生成、転送、受信、または処理するための前記第１の装置の属性及び前記第２の装置の属性を判定するための手段と、
・前記第２の装置に対して第２のマルチメディアストリームをルーティングするための手段と、
を備えることを特徴とする通信システムに関連する。
【００１９】
前記接続するためのシステム及び前記転送するための手段は、前記第１の装置が接続されている第１のネットワークの要素か、及び／または、前記第２の装置が接続されている第２のネットワークの要素か、及び／または、前記第１のネットワーク及び前記第２のネットワークを相互接続するための要素を備える。
【００２０】
本発明は、本発明による接続方法及び接続システムを実施する例の内の以下の説明を読んで知ることに基づいて、更に良く理解されることになると共に、他の特徴及び利点が明白になるであろう。
【図面の簡単な説明】
【００２１】
【図１】２つの端末の間で通信する既知の方法の実施を示す構成図である。
【図２】本発明による通信方法の実施を示す構成図である。
【発明を実施するための形態】
【００２２】
説明は、添付された図面と共に読まれなければならない。
【００２３】
本発明による方法は、まず第一に、第１の特定の端末及び第２の特定の端末によって実現される第１の装置と第２の装置との間の代表的な通信の枠組の中において、以下で説明されることになる。
【００２４】
本発明の実施の他のモードにおいて、関係のある装置は、数において２を超えていると共に、サーバ、例えばオーディオテル（audiotel）タイプの情報サーバ、さもなければ音声メッセージングサーバ等を備え得ることになる。
【００２５】
既知の通信方法は、特に、
・第１の装置と第２の装置、本実施例では第１の特定の端末と第２の特定の端末とを接続するステップと、
・第１のマルチメディアストリームを前記第１の装置から前記第２の装置に対して転送するステップと、
を含む。
【００２６】
オーディオストリームを２つの端末の間で転送するステップは、必然的に、通信の間中繰り返される。
【００２７】
図１は、特定のネットワークに接続された２つの特定の端末の間で通信する既知の方法の実施の既知のモードを提示する。
【００２８】
第１の端末１００は、マルチメディアストリームの転送に適していないと共に、モノラルのオーディオストリームの転送のみに適している第１のネットワークに接続されている。具体的な例において、第１のネットワークは、交換電話網タイプ（ＳＴＮネットワーク）である。第１の端末は、その一例として、その少なくとも１つのベースが交換機１１０に接続された電話ソケットにワイヤ線によって連結される従来の固定電話機１００である。
【００２９】
ＳＴＮネットワークは、特に、ＳＴＮネットワークに接続している第１の端末のエントリ（entry）の入力ポイントである交換機１１０と、異なるプロトコル階層上の呼び出し信号ＩＳＵＰを伝送するためのゲートウェイ機能、及び第１の端末によって放出されるか、または第１の端末に対して放出される接続要求、あるいは第１の端末に対して放出されるか、または第１の端末によって放出される接続承認を送信する機能を主として有する、接続要求（Ｔ−ＧＳＭ）を管理するための入力構成要素１２０とを備える。
【００３０】
本実施例において、接続要求及び接続承認の伝送のために、ＳＴＮネットワークは、特に、ＩＳＵＰ（Integrated Service Digital Network Signalling User Part）信号プロトコルを使用する。しかし、第１のネットワークに適している他の既知のプロトコルが使用され得る。
【００３１】
第２の端末２００は、第２のネットワークに接続されていると共に、第２の端末、及び第２のネットワークは、マルチメディア属性を有している。具体的な例において、第２のネットワークは、ＩＭＳ（IP Multimedia Subsystem）タイプの従来のアーキテクチャを提供されたＩＰ電話ネットワークである。第２の端末は、その一例として、ＡＤＳＬ（Asymmetric Digital Subscriber Line）モデム及び／またはルータのようなアクセス装置２１０に対してＷＩＦＩリンクによって連結されると共に、テキスト、画像、及び／またはビデオのための表示画面、及び２つの耳当てを有するステレオのヘッドホンのようなステレオの音響変換器（acoustic transducer）を備える携帯電話機２００である。
【００３２】
第２のネットワークは、特に、主な機能が、以下の、
・第２のネットワークに接続している第２の端末２００を識別すると共に記録すること、及び、
・第２の端末２００によって送出されるか、または第２の端末２００に対して送出される接続要求を送信すること、あるいは第２の端末２００によって送出されるか、または第２の端末２００に対して送出される接続承認を送信すること、
である入力装置２２０（Ｐ−Ｉ−Ｓ−ＣＳＣＦ）を備える。
【００３３】
第２のネットワークは、同様に、例えば音声メッセージングサービス、高度な電話サービスのような１つ以上のアプリケーションサービスを第２の端末の利用者に提供する傾向がある１つ以上のサーバ２３０、２４０を備えることができる。第２のネットワークは、同様に、その機能が、例えば、音声メッセージ、またはビデオメッセージを含むマルチメディアストリームを送出すること、オーディオストリームに関して音声認識を遂行すること、会議モードにおける通信の枠組の中で受信したマルチメディアストリームを混合すること等であるマルチメディア資源２５０のサーバを備えることができる。
【００３４】
実施例において、接続要求及び接続承認の伝送に関して、特に有益な第２のネットワークは、ＳＩＰ（Session Initiation Protocol）信号プロトコルである。しかし、第２のネットワークに適しているあらゆる他の既知のプロトコルが使用され得る。
【００３５】
２つのネットワークは、接続ゲートウェイ３２０とデータゲートウェイ３３０を経由して相互に接続される。
【００３６】
交換機１１０、装置１２０、ゲートウェイ３２０、装置２２０、及びアクセス装置２１０は、通信方法の接続ステップを実行することができる、第１の端末と第２の端末とを接続するためのシステムを共に構成する。
【００３７】
交換機１１０、ゲートウェイ３３０、及び装置２１０は、第１の端末から第２の端末に対して（または、その逆に）オーディオストリームを転送するためのシステムを共に構成する。
【００３８】
図１において、第１の端末と第２の端末との間の通信中における信号の従来の経路が、同様に表される。
【００３９】
接続するステップは、以下の方法において実行される。第２の端末２００は、ＳＩＰプロトコルに従って接続要求を送出し、この要求は、装置２２０によって、ゲートウェイ３２０に伝送され、ゲートウェイ３２０は、この要求をＩＳＵＰプロトコルの要求に変換すると共に、それを構成要素１２０に対して送信し、その後段の、最終的にそれを第１の端末に対して送信する交換機１１０に対して送信する。第１の端末の利用者が（第１の端末の送受器をアクティブにすることによって）接続を承認するとき、接続の承認は、交換機１１０、構成要素１２０、次にゲートウェイ３２０、次に構成要素２２０、次に装置２１０を経由することによって、逆の経路を通して第２の端末に対して送信される。もちろん、もしその通信が第１の端末の利用者の指揮の下にあるならば、接続要求は、第１の端末によって送出されると共に、第２の端末に対して送信され、そして接続の承認は、逆の経路をたどる。
【００４０】
第２の端末による接続の承認の受信の後で、通信チャンネルが、アクセス装置２１０と、データゲートウェイ３３０と、交換機１１０との間で確立されると共に、利用者の間のオーディオ信号の転送は、２つ端末の間の通信チャンネル上のオーディオストリーム転送によって行われる。転送するステップは、通信の過程で数回繰り返され得る。ＳＴＮネットワークにおいて、及びＩＰ電話網において、オーディオストリームは、モノラルであり、そして１つのチャンネルで移動する。
【００４１】
本発明による通信方法は、同様に、それが以下の、
・その過程において、前記第１の装置、または前記第１の装置が接続されている第１の通信ネットワーク、または前記第２の装置が接続されている第２のネットワークが、Ｎ個のチャンネルを含むマルチメディアストリームの生成または転送に適しており、第２の装置が、Ｐ個のチャンネルを含むマルチメディアストリームを処理するための手段を備えることが指摘される判定するステップと、
・前記第１のマルチメディアストリームを転送するステップと並列に実行されると共に、前記第２の装置に対して第２のマルチメディアストリームをルーティングするステップと、
を含むという点で、前の方法と区別される。
【００４２】
選ばれた例において、
・前記判定するステップは、前記接続するステップと並列に実行され、
・前記Ｎが前記Ｐより小さい場合に限り、前記第２のマルチメディアストリームをルーティングするステップが、前記第１のマルチメディアストリームを転送するステップと並列に実行され、
・前記第１のマルチメディアストリームは、モノラル音（例えば音声）を有するＮ＝１個のチャンネルを含むオーディオストリームであると共に、前記第２のマルチメディアストリームは、同様にモノラル音（例えば音楽の一部分）を有する（Ｐ−Ｎ）＝１個のチャンネルを含むオーディオストリームである。
【００４３】
同様に選択された例において、第１の端末及び第１のネットワークは、Ｎ＝１個のチャンネルを含むマルチメディアストリームの生成または転送に適しており（それらはモノラルのオーディオストリームを交換することに制限される）、第２の端末及び第２のネットワークは、Ｐ＝２個のチャンネルを含むマルチメディアストリームの転送または利用に適している。従って、判定するステップは、結果的に肯定的な結論になると共に、第２のマルチメディアストリームをルーティングするステップは、オーディオストリーム（第１のマルチメディアストリーム）を転送する各ステップと並列に実行される。
【００４４】
図２は、第２のネットワークの専用のアプリケーションサーバ２６０として、本発明による方法の実施のモードを示す。
【００４５】
接続するステップの間に、装置２２０は、第２の端末２００から受信された接続要求を、（既知の方法と同様に）一方では第１の端末に対して送信し、他方ではアプリケーションサーバ２６０に対して送信する。装置２２０は、その後、第１の端末１００から受信された接続承認を、一方では第２の端末２００に対して送信し、他方ではアプリケーションサーバ２６０の判定モジュールに対して送信する。
【００４６】
図２の実施のモードにおいて、判定するステップは、アプリケーションサーバ２６０の判定する手段によって実行される。（特に、それによって第２の端末がオーディオ信号、ビデオ信号、テキスト信号等を受信する傾向があるポートの数に関連する）接続要求に含まれる情報に基づいて、判定する手段は、第２の端末２００のマルチメディア受信属性を判定する。同じ方法において、（特に、それによって第１の端末がオーディオ信号、ビデオ信号、テキスト信号等を送出する傾向があるポートの数に関連する）接続承認に含まれる情報に基づいて、判定する手段は、第１の端末のマルチメディア送出属性を判定する。判定する手段は、最終的に、ルーティングするステップが、実行される必要があるか、あるいは実行される必要がないかを判定する。
【００４７】
接続するステップ及び判定するステップの後で、第２の端末に対して第２のマルチメディアストリームをルーティングするステップは、アプリケーションサーバ２６０のルーティングする手段によって、第１の端末から第２の端末に第１のマルチメディアストリーム（オーディオストリーム）を転送するステップと並列に実行される。
【００４８】
ルーティングする手段によって生成されて第２の端末２００に対してルーティングされる第２のマルチメディアストリームの内容は、判定する手段によってルーティングするステップの実行命令と同時に提供されるいくらかのパラメータによって決まり得る。
【００４９】
マルチメディアストリームの内容は、まず第一に、一方である第２の端末及び第２のネットワークと、他方である第１の端末及び第１のネットワークとの間のマルチメディア能力の差異（Ｐ−Ｎ）によって決まる。
【００５０】
上述の選択されて説明された実例において、第１の端末及び第１のネットワークは、モノラルのオーディオストリーム（Ｎ＝１）に制限されると共に、一方、第２の端末及び第２のネットワークは、ステレオのオーディオ信号（または、２つのモノラルのオーディオ信号）、画像またはビデオ、及びテキストを有するＰ＝４チャンネルを含むマルチメディアストリームを利用し得る。転送するステップの間に、第１の端末によって送信された第１のマルチメディアストリーム（電話通信に関するオーディオストリーム）は、従って、ルーティングするステップの間に、別のモノラルのオーディオ信号（例えば、音楽信号または情報オーディオ信号）、ビデオ信号または画像信号（例えば、広告またはフィルムの後書き（film trailer）、及び／または、テキスト信号（例えば、サーバ２６０によって提供されるサービスに関する情報に関連するテキストまたは映画プログラム）を含む第２のマルチメディアストリームによって補完され得る。
【００５１】
もちろん、２つのモノラルのオーディオ信号（または、ステレオ信号）だけを含むが、しかしビデオ信号及び／またはテキスト信号を全く含まないマルチメディアストリームを受信するための手段を備える第２の端末の別の例において、サーバ２６０によってルーティングされる第２のマルチメディアストリームは、モノラルのオーディオストリーム（例えば、音楽ストリーム）に制限されることになる。
【００５２】
第２のマルチメディアストリームの内容は、同様に、例えば、ＰＣ（Personal Computer）タイプの携帯端末２７０を用いて、または端末２００を用いて、第２の端末２００の利用者または所有者によってサーバ２６０に与えられて、サーバ２６０のメモリに格納されるパラメータによって決まり得る。端末２００の利用者または所有者は、従って、判定するステップ及びルーティングするステップが実行されるか、または実行されないかを、要求し得る。利用者は、彼が事前に定義された端末１００（または、彼が定義する端末のセットの端末の内の１つ）を呼び出す時、または彼がこの事前に定義された端末１００（または、彼が定義した端末のセットの端末）から電話呼び出しを受信する時、同様に、特定のマルチメディアストリーム（例えば、音楽の特定の部分、または特定の広告）を受信することを決定し得る。
【００５３】
第２のマルチメディアストリームの内容は、更にサーバ２６０の所有者によって与えられてサーバ２６０のメモリに格納されるパラメータによって決まり得る。サーバ２６０の所有者は、従って、例えばサーバ２６０（及び本発明の関連する方法）が、制限された方法によって、例えば定期的に、アクセス可能であることを判定し得る。
【００５４】
マルチメディアストリームの内容は、同様に、例えば、ＰＣ（Personal Computer）タイプの携帯端末を用いて、または端末１００を用いて、第１の端末１００の利用者または所有者によってサーバ２６０に与えられてサーバ２６０のメモリに格納されるパラメータによって決まり得る。端末１００の利用者または所有者は、従って、判定するステップ及びルーティングするステップが実行されるか、または実行されないかを、要求し得る。端末１００の利用者または所有者は、同様に、第２の特定のマルチメディアストリーム（例えば、音楽の特定の部分または特定の広告）が、端末１００と連絡を取ると共にマルチメディア属性に恵まれているあらゆる端末（任意に、事前に定義されたリストのあらゆる端末）に送信されることを決定し得る。
【００５５】
本発明の実施の上述されたモードにおいて、
・第１の端末及び第１のネットワークは、モノラルのオーディオ属性（Ｎ＝１）のみを有している、
・第２の端末及び第２のネットワークは、ステレオのオーディオストリーム、画像ストリームまたはビデオストリーム、及びテキストストリームを受信して利用する可能性を含むマルチメディア属性（Ｐ＝４）を有している、
・判定する手段及びルーティングする手段は、第２のネットワークのアプリケーションサーバに配置されている、
と見なされている。
【００５６】
しかし、多くの他の実施のモードが可能である。
【００５７】
第１のネットワーク及び第２のネットワークは、２つの相互接続されたインターネット電話（ＩＰ電話）タイプのネットワークか、または、まさに単一のインターネット電話（ＩＰ電話）タイプのネットワークであり得る。
【００５８】
第１の端末は、第２の端末のマルチメディア属性に相当するマルチメディア属性を有することができる（Ｎ＝Ｐ）。この場合、本発明は、特に第１のネットワークまたは第２のネットワークが端末の属性に劣る属性を有している場合に有益である。
【００５９】
ルーティングする手段は、第２のネットワークのマルチメディア資源のサーバ２５０の手段か、または第１のネットワークのマルチメディア資源のサーバの手段であり得る。
【００６０】
更に一般的に、判定する手段は、
・第１のネットワークまたは第２のネットワークのアプリケーションサーバ（例えば、サーバ２５０）の手段か、あるいは、
・第２のネットワークに対する第２の装置のアクセス装置２１０の手段か、あるいは、
・第２のネットワークの入力要素２２０の手段か、あるいは、
・第２の装置の手段、
のいずれかであり得る。
【００６１】
ルーティングする手段は、
・第１のネットワークまたは第２のネットワークのアプリケーションサーバの手段か、あるいは、
・第１のネットワークまたは第２のネットワークのマルチメディア資源のサーバの手段か、あるいは、
・第２のネットワークに対する第２の装置のアクセス装置２１０の手段か、あるいは、
・第２のネットワークの入力構成要素２２０の手段か、あるいは、
・第２の装置の手段、
のいずれかであり得る。
【００６２】
もし判定する手段及びルーティングする手段が、接続装置２１０の手段か、あるいは、まさに装置２００の手段であるならば、同様に、もし第１のネットワーク及び第２のネットワークが第２の装置のマルチメディア属性に劣るマルチメディア属性を有するならば、本発明は、同様に使用され得る。
【００６３】
判定する手段及び／またはルーティングする手段は、ソフトウェアタスクの形で実施され得る。
【符号の説明】
【００６４】
１００    第１の端末（固定電話機）
１１０    交換機
１２０    入力構成要素
２００    第２の端末（携帯電話機）
２１０    アクセス装置
２２０    入力装置
２３０、２４０    サーバ
２５０    マルチメディア資源のサーバ
２６０    アプリケーションサーバ
２７０    携帯端末
３２０    接続ゲートウェイ
３３０    データゲートウェイ
【図１】
0005410977.tif 000002
【図２】
0005410977.tif 000003